(57)【要約】【課題】通常の鋼管矢板では二重矢板構造が成立しないような大水深下においても効率的かつ安定的に二重矢板構造物を構築可能な施工方法および二重矢板構造物を提供する。【解決手段】この二重矢板構造物の施工方法は、二重矢板構造物は前方矢板および後方矢板が上下に少なくとも二つに分割された構造を有し、水底の基礎地盤を床掘してから導枠１０を設置し、導枠を通して分割された下段の矢板１１Ａ，１２Ａを打設し、打設された下段の前方矢板と後方矢板との間に中詰材として固化処理土２１を投入し、下段の矢板に対し分割された上段の矢板を打設し、打設された上段の前方矢板と後方矢板との間に中詰材として固化処理土を投入する。【選択図】図５
2015183441.tif 000002
【特許請求の範囲】
【請求項１】
前方矢板と後方矢板とが所定間隔で配置される二重矢板構造物を構築するための施工方法であって、
前記二重矢板構造物は、前記前方矢板および前記後方矢板が上下に少なくとも二つに分割された構造を有し、
水底の基礎地盤を床掘してから導枠を設置する工程と、
前記導枠を通して前記分割された下段の矢板を打設する工程と、
前記打設された下段の前方矢板と後方矢板との間に中詰材として固化処理土を投入する第１投入工程と、
前記下段の矢板に対し前記分割された上段の矢板を打設する工程と、
前記打設された上段の前方矢板と後方矢板との間に中詰材として固化処理土を投入する第２投入工程と、を含む二重矢板構造物の施工方法。
【請求項２】
前記下段の矢板の打設工程と前記第１投入工程との間に前記下段の前方矢板と後方矢板とを水平方向に配置される第１連結部材により連結する請求項１に記載の二重矢板構造物の施工方法。
【請求項３】
前記上段の矢板の打設工程と前記第２投入工程との間に前記上段の前方矢板と後方矢板とを水平方向に配置される第２連結部材により連結する請求項１または２に記載の二重矢板構造物の施工方法。
【請求項４】
前記矢板は鋼管矢板から構成され、
前記上段の鋼管矢板の鋼管杭は前記下段の鋼管矢板の鋼管杭の内径よりも小さく、
前記下段の鋼管矢板に対し前記上段の鋼管矢板を打設するとき、前記上段の鋼管矢板の鋼管杭が前記下段の鋼管矢板の鋼管杭内に挿入される請求項１乃至３のいずれか１項に記載の二重矢板構造物の施工方法。
【請求項５】
前方矢板と後方矢板とが所定間隔で配置された二重矢板構造物であって、
前記前方矢板および前記後方矢板が上下に少なくとも二つに分割された構造を有し、請求項１乃至４のいずれか１項に記載の施工方法によって構築されたことを特徴とする二重矢板構造物。
【発明の詳細な説明】
【技術分野】
【０００１】
本発明は、二重矢板構造物を構築する施工方法およびその施工方法によって構築された二重矢板構造物に関する。
【背景技術】
【０００２】
近年、産業廃棄物や一般廃棄物等を処分するための海面処分場に対するニーズが高まっており、これを受けて、将来、海面処分場の沖合（水深20ｍ以上）での展開が予想されている。海面処分場に適用可能な護岸構造の構造形式として二重矢板式構造が知られている。二重矢板式構造は、遮水性や構造安定性などに優れているが、大水深下（水深20ｍ以上）において用いる場合、波浪および土圧により矢板上に極めて大きな外力が発生するため、規格外の矢板が必要となりコストが大きくなる。
【０００３】
大水深下を対象とした二重矢板式構造として、たとえば、特許文献１は、二重矢板上にジャケット式の水平連結材を設置することで両矢板の剛性を高くする構造を提案する。また、特許文献２は、二重矢板間に一定間隔で隔壁（パネル材）を設置する構造を提案する。
【先行技術文献】
【特許文献】
【０００４】
【特許文献１】特開2002-129533号公報
【特許文献２】特開平08-333742号公報
【発明の概要】
【発明が解決しようとする課題】
【０００５】
しかし、特許文献１，２はともに、完成後の二重矢板式構造を対象としたものであり、水平連結材や隔壁を設置する前の施工時を対象とした構造ではない。ここで、二重矢板式構造を大水深下（水深20ｍ以上）に設置する施工時における問題について図１２を参照して説明する。水深20ｍ以上の大水深下の地盤に打設された矢板５０の先端近傍に波による水平波力Ｈが作用すると、矢板５０の水底地盤の際に位置する部分５０ａには大きな曲げモーメントＭが作用し、この部分５０ａで矢板５０が局部的に破壊してしまうおそれがある。矢板に一方向から土圧が作用する場合も同様の問題が生じる。このように二重矢板式構造を大水深下に設置する施工時には、波浪や土圧により矢板の曲げや回転や傾斜が発生して破壊に至るおそれがあるが、特許文献１，２の構造はかかる問題に対応したものではない。
【０００６】
本発明は、上述のような従来技術の問題に鑑み、通常の鋼管矢板では二重矢板構造が成立しないような大水深下においても効率的かつ安定的に二重矢板構造物を構築可能な施工方法および二重矢板構造物を提供することを目的とする。
【課題を解決するための手段】
【０００７】
上記目的を達成するための二重矢板構造物の施工方法は、前方矢板と後方矢板とが所定間隔で配置される二重矢板構造物を構築するための施工方法であって、前記二重矢板構造物は、前記前方矢板および前記後方矢板が上下に少なくとも二つに分割された構造を有し、水底の基礎地盤を床掘してから導枠を設置する工程と、前記導枠を通して前記分割された下段の矢板を打設する工程と、前記打設された下段の前方矢板と後方矢板との間に中詰材として固化処理土を投入する第１投入工程と、前記下段の矢板に対し前記分割された上段の矢板を打設する工程と、前記打設された上段の前方矢板と後方矢板との間に中詰材として固化処理土を投入する第２投入工程と、を含む。
【０００８】
この二重矢板構造物の施工方法によれば、二重矢板構造物を前方矢板および後方矢板が上下に少なくとも二つに分割された構造とし、分割された矢板の打設等の施工時に矢板に作用する外力（波力や土圧）を低減できる。また、下段の矢板の打設後の固化処理土の投入で下段の前方矢板と固化処理土と後方矢板とが一体化し、施工時における外力に対する抵抗力が増大する。また、分割された上段の施工は、前方矢板と固化処理土と後方矢板とが一体化した下段の構造に対して行うので、安定的な施工が実現できる。さらに、矢板打設前の基礎地盤の床掘および導枠の設置により、施工精度の向上および施工時・完成時の二重矢板構造物の安定化を図ることができる。このようにして、大水深下においても効率的かつ安定的に二重矢板構造物を構築することができる。
【０００９】
上記二重矢板構造物の施工方法において、前記下段の矢板の打設工程と前記第１投入工程との間に前記下段の前方矢板と後方矢板とを水平方向に配置される第１連結部材により連結することが好ましい。これにより、下段の矢板打設後の中詰材投入による矢板の水平方向のたわみを防止できる。
【００１０】
また、前記上段の矢板の打設工程と前記第２投入工程との間に前記上段の前方矢板と後方矢板とを水平方向に配置される第２連結部材により連結することが好ましい。これにより、上段の矢板打設後の中詰材投入による矢板のたわみを防止できる。
【００１１】
また、前記矢板は鋼管矢板から構成され、前記上段の鋼管矢板の鋼管杭は前記下段の鋼管矢板の鋼管杭の内径よりも小さく、前記下段の鋼管矢板に対し前記上段の鋼管矢板を打設するとき、前記上段の鋼管矢板の鋼管杭が前記下段の鋼管矢板の鋼管杭内に挿入されることが好ましい。上段の鋼管矢板の鋼管杭が下段の鋼管矢板の鋼管杭内に挿入される範囲では、二重構造となって、剛性が増し、水圧や土圧が大きくなる水底近傍での下段の鋼管の補強効果を得ることができる。
【００１２】
上記目的を達成するための二重矢板構造物は、前方矢板と後方矢板とが所定間隔で配置された二重矢板構造物であって、前記前方矢板および前記後方矢板が上下に少なくとも二つに分割された構造を有し、上述の施工方法によって構築されたことを特徴とする。
【００１３】
この二重矢板構造物によれば、二重矢板構造物を前方矢板および後方矢板が上下に少なくとも二つに分割された構造とし、分割された矢板の打設等の施工時に矢板に作用する外力（波力や土圧）を低減できる。また、矢板打設前の基礎地盤の床掘および導枠の設置により、施工精度の向上および二重矢板構造物の安定化を図ることができる。このように大水深下においても安定的な二重矢板構造物を実現できる。
【発明の効果】
【００１４】
本発明によれば、通常の鋼管矢板では二重矢板構造が成立しないような大水深下においても効率的かつ安定的に二重矢板構造物を構築可能な施工方法および二重矢板構造物を提供することができる。
【図面の簡単な説明】
【００１５】
【図１】本実施形態による二重矢板構造物を概略的に示す側面図（ａ）および上面図（ｂ）である。
【図２】本実施形態による二重矢板構造物の施工工程Ｓ０１〜Ｓ０７を説明するためのフローチャートである。
【図３】図２の第１本体工Ｓ０３の導枠設置を説明するための概略的な側面図（ａ）および上面図（ｂ）である。
【図４】図２の第１本体工Ｓ０３の鋼管矢板打設および連結部材取付けを説明するための概略的な側面図（ａ）および上面図（ｂ）である。
【図５】図２の第１中詰工Ｓ０４を説明するための概略的な側面図（ａ）および上面図（ｂ）である。
【図６】図２の第２本体工の鋼管矢板打込および連結部材取付けを説明するための概略的な側面図（ａ）および上面図（ｂ）である。
【図７】図４の鋼管矢板１１Ａと１２Ａの間に配置した連結部材１３を概略的に示す要部斜視図である。
【図８】図６の施工中における前方鋼管矢板１１の下段鋼管矢板１１Ａと上段鋼管矢板１１Ｂの要部を概略的に示す斜視図である。
【図９】図８の前方鋼管矢板の要部を概略的に示す上面図である。
【図１０】図８の前方鋼管矢板の要部を概略的に示す正面図である。
【図１１】図７の連結部材の近傍に固定部材を配置した別の構成例を概略的に示す要部斜視図である。
【図１２】従来の二重矢板式構造を大水深下（水深20ｍ以上）に設置する施工時における問題を説明するための概略図である。
【発明を実施するための形態】
【００１６】
以下、本発明を実施するための形態について図面を用いて説明する。図１は、本実施形態による二重矢板構造物を概略的に示す側面図（ａ）および上面図（ｂ）である。
【００１７】
図１（ａ）（ｂ）に示すように、本実施形態による二重矢板構造物１は、沖側に位置する前方鋼管矢板１１と、陸側に位置する後方鋼管矢板１２と、鋼管矢板１１，１２の間に中詰材として充填される固化処理土２１，２２と、を備え、水深ｄが２０ｍ以上の大水深下の地盤に構築される。
【００１８】
図１（ａ）のように、前方鋼管矢板１１と後方鋼管矢板１２はそれぞれ、上段と下段の二つに分割されている。すなわち、前方鋼管矢板１１は、下段に位置する鋼管矢板１１Ａと上段に位置する鋼管矢板１１Ｂとに分割され、後方鋼管矢板１２は、下段に位置する鋼管矢板１２Ａと上段に位置する鋼管矢板１２Ｂとに分割され、下段の前方鋼管矢板１１Ａと下段の後方鋼管矢板１２Ａとの間に固化処理土２１が充填され、上段の前方鋼管矢板１１Ｂと上段の鋼管矢板１２Ｂとの間に固化処理土２２が充填されている。
【００１９】
二重矢板構造物１は、たとえば、産業廃棄物や一般廃棄物等を処分する海面処分場の護岸に適用可能であるが、これに限定されるものではなく、岸壁や防潮堤や他の護岸構造等に適用されてもよい。
【００２０】
次に、図１（ａ）（ｂ）の二重矢板構造物１を構築する際の施工工程について図２〜図６を参照して説明する。
【００２１】
図２は、本実施形態による二重矢板構造物の施工工程Ｓ０１〜Ｓ０７を説明するためのフローチャートである。図３は図２の第１本体工Ｓ０３の導枠設置を説明するための概略的な側面図（ａ）および上面図（ｂ）である。図４は図２の第１本体工Ｓ０３の鋼管矢板打設および連結部材取付けを説明するための概略的な側面図（ａ）および上面図（ｂ）である。図５は図２の第１中詰工Ｓ０４を説明するための概略的な側面図（ａ）および上面図（ｂ）である。図６は図２の第２本体工の鋼管矢板打込および連結部材取付けを説明するための概略的な側面図（ａ）および上面図（ｂ）である。
【００２２】
本実施形態による二重矢板構造物の施工方法は、主要な工程として、図２のように、準備工Ｓ０１，基礎工Ｓ０２，第１本体工Ｓ０３，第１中詰工Ｓ０４，第２本体工Ｓ０５，第２中詰工Ｓ０６および上部工Ｓ０７を含む。
【００２３】
準備工Ｓ０１
各工程Ｓ０１〜Ｓ０７について説明する。まず、準備工Ｓ０１として、必要な資材や機器や設備や船等を用意する。
【００２４】
基礎工Ｓ０２
次に、基礎工Ｓ０２として、二重矢板構造物の設置位置付近の水底をグラブ浚渫船等により床掘する。
【００２５】
第１本体工Ｓ０３
次に、第１本体工Ｓ０３として、図３（ａ）（ｂ）のように、鋼製導枠１０を起重機船により４点吊りで吊り上げ、床掘した位置に設置する。鋼製導枠１０は、陸上で製作され、全体が平面矩形状の枠状に構成され、この後、後述のように鋼管矢板が両端の細長い枠１０ａ，１０ｂ内を通して打設される。
【００２６】
次に、図４（ａ）（ｂ）のように、分割された下段の鋼管矢板１１Ａ，１２Ａを杭打設船により導枠１０の両端の枠１０ａ，１０ｂ内を通して打設し地盤内へと打ち込む。この打設の際に、鋼管矢板１１Ａ，１２Ａの天端は水中となるためヤットコ（仮鋼管杭）を使用する。
【００２７】
次に、潜水士により、図４（ａ）の破線で示すように、一方の鋼管矢板１２Ａに予め取り付けておいた連結部材１３を図の矢印方向へ持ち上げ、もう一方の鋼管矢板１１Ａに取り付ける（Ｓ０４）。
【００２８】
図７は図４の鋼管矢板１１Ａと１２Ａの間に配置した連結部材１３を概略的に示す要部斜視図である。連結部材１３は、鋼管矢板１１Ａ，１２Ａの各鋼管杭の間に配置され、図７のように、鋼管矢板１１Ａ，１２Ａの各鋼管杭に予め取り付けられたブラケット１３ａ、１３ｂにボルトやシャックル等により取り付けられる。これにより、図４（ａ）（ｂ）、図７のように二重矢板構造物１の下側を構成する鋼管矢板１１Ａと１２Ａを固定する。
【００２９】
第１中詰工Ｓ０４
次に、第１中詰工Ｓ０４として、図４（ａ）（ｂ）のように、鋼管矢板１１Ａと１２Ａの間に固化処理土２１を投入する（Ｓ０５）。これにより、二重矢板構造物１の下側において鋼管矢板１１Ａと鋼管矢板１２Ａと固化処理土２１とを一体化させる。固化処理土は、陸上の固化処理土作製装置から圧送ポンプにより施工位置まで搬送され、トレミー管により投入される。固化処理土は、たとえば、石炭灰固化土やカルシア改質土や土砂等にセメントを混合した固化処理土などを使用できる。
【００３０】
第２本体工Ｓ０５
次に、図６（ａ）（ｂ）のように、分割された上段の鋼管矢板１１Ｂ，１２Ｂを杭打設船により打設し下段の鋼管矢板１１Ａ，１２Ａ内に打ち込み挿入する。このとき、上段の鋼管矢板１１Ｂ，１２Ｂの鋼管杭の挿入深さが上段の鋼管杭に予め設置されているストッパ部材１７により決まる。
【００３１】
ここで、図１（ａ）（ｂ）の二重矢板構造物１の分割構成例について図８〜図１０をさらに参照して説明する。図８は図６の施工中における前方鋼管矢板１１の下段鋼管矢板１１Ａと上段鋼管矢板１１Ｂの要部を概略的に示す斜視図である。図９は図８の前方鋼管矢板の要部を概略的に示す上面図である。図１０は図８の前方鋼管矢板の要部を概略的に示す正面図である。
【００３２】
図８〜図１０のように、下段鋼管矢板１１Ａは、鋼管杭３１と継手部３２とを備え、継手部３２は、一方の鋼管杭３１に取り付けられた山形鋼部３２ａと、隣接の鋼管杭３１に取り付けられたＴ形鋼部３２ｂとを組み合わせて構成されている。また、上段鋼管矢板１１Ｂは、下段の鋼管杭３１内に挿入可能なように鋼管杭３１の内径よりも小さい外径の鋼管杭３３と継手部３４とを備え、継手部３４は、一方の鋼管杭３３に取り付けられたＣＴ形鋼部３４ａと、隣接の鋼管杭３３に取り付けられた小径鋼管部３４ｂとを組み合わせて構成されている。鋼管杭３３の外周面の１８０度反対の所定位置二箇所に外周面から突き出るようにしてストッパ部材１７が取り付けられている。
【００３３】
上述のように第２本体工Ｓ０５で上段鋼管矢板１１Ｂが下段鋼管矢板１１Ａ内に打ち込まれると、図８，図１０のように、上段鋼管矢板１１Ｂの鋼管杭３３が下段鋼管矢板１１Ａの鋼管杭３１内に挿入され、上段の鋼管杭３３のストッパ部材１７が鋼管杭３１の上端部３１ａに突き当たり、上段鋼管矢板１１Ｂの鋼管杭３３の下段の鋼管杭３１に対する挿入深さが決まる。このとき、上段の鋼管杭３３は、下段の鋼管杭３１内において図６（ａ）の範囲Ａ内に位置し、鋼管杭３３の先端が導枠１０の下側近くに位置し、この範囲Ａ内で二重管構造となる。なお、この範囲Ａ内で上段鋼管矢板１１Ｂの継手部３４は省略されている。また、後方鋼管矢板１２も図８〜図１０と同様に構成される。
【００３４】
次に、第１本体工Ｓ０３、図７と同様に、図６（ａ）の破線のように鋼管矢板１１Ｂに予め取り付けておいた連結部材１８を図の矢印方向へ持ち上げ、他方の鋼管矢板１２Ｂにボルトやシャックル等により取り付ける。これにより二重矢板構造物１の上側を構成する鋼管矢板１１Ｂと１２Ｂを固定する。
【００３５】
第２中詰工Ｓ０６
次に、第２中詰工Ｓ０６として、上部の鋼管矢板１１Ｂ，１２Ｂの間に固化処理土２２を第１中詰工Ｓ０４と同様にして投入する（Ｓ０９）。これにより、二重矢板構造物１の上側において鋼管矢板１１Ｂと鋼管矢板１２Ｂと固化処理土２２とを一体化させる。
【００３６】
上部工Ｓ０７
次に、二重矢板構造物１が、たとえば、廃棄物処分のための海面処分場の護岸に適用される場合には、上部工Ｓ０７として、海面処分場の護岸に必要な上部構造物を設置する。
【００３７】
上述のようにして、分割された下段の鋼管矢板１１Ａと上段の鋼管矢板１１Ｂとから前方鋼管矢板１１が構成され、分割された下段の鋼管矢板１２Ａと上段の鋼管矢板１２Ｂとから後方鋼管矢板１２が構成され、下段の鋼管矢板１１Ａと１２Ａの間に固化処理土２１が充填され、上段の鋼管矢板１１Ｂと１２Ｂの間に固化処理土２２が充填されることで、図１（ａ）（ｂ）の二重矢板構造物１が完成する。
【００３８】
本実施形態の二重矢板構造物の施工方法によれば、二重矢板構造物１を前方鋼管矢板１１および後方鋼管矢板１２が上下二段に分割された構造とし、分割された鋼管矢板の打設等の施工時に鋼管矢板に作用する外力（波力や土圧）を低減でき、使用する鋼管径を低減することができる。また、下段の鋼管矢板１１Ａ，１２Ａの打設後の固化処理土２１の投入で下段の前方鋼管矢板１１Ａと固化処理土２１と後方鋼管矢板１２Ａとが一体化し、施工時における外力に対する抵抗力が増大する。また、分割された上段の鋼管矢板の施工は、前方鋼管矢板と固化処理土と後方鋼管矢板とが一体化した下段の鋼管矢板の構造に対して行うので、安定的な施工が実現できる。さらに、鋼管矢板の打設前に基礎地盤の床掘を行い、鋼製導枠１０を設置することにより、矢板打設時の鋼管矢板に作用する外力の低減や中詰材打設時の構造物全体の安定性の向上を図ることができ、また、鋼管矢板打設時の傾斜や回転等の発生を防止し、施工精度が向上する。このようにして、大水深下においても効率的かつ安定的に二重矢板構造物を構築することができる。
【００３９】
また、上段の鋼管矢板の鋼管杭３３は下段の鋼管矢板の鋼管杭３１の内径よりも小さく、下段の鋼管矢板に対し上段の鋼管矢板を打設するとき、上段の鋼管矢板の鋼管杭３３が下段の鋼管矢板の鋼管杭３１内に挿入されるので、上段の鋼管矢板の鋼管杭３３が下段の鋼管矢板の鋼管杭３１内に挿入される範囲Ａでは、二重構造となって、剛性が増し、水圧や土圧が大きくなる水底近傍での下段の鋼管杭の補強効果を得ることができる。
【００４０】
また、下段の鋼管矢板の打設後に下段の前方鋼管矢板１１Ａと後方鋼管矢板１２Ａとを水平方向に配置される連結部材１３により連結することで、下段の鋼管矢板打設後の中詰材投入による鋼管矢板の水平方向のたわみを防止できる。同様に、上段の鋼管矢板の打設後に上段の前方鋼管矢板１１Ｂと後方鋼管矢板１２Ｂとを水平方向に配置される連結部材１８により連結することで、上段の鋼管矢板打設後の中詰材投入による鋼管矢板の水平方向のたわみを防止できる。
【００４１】
また、中詰材として固化処理土（石炭灰固化土、カルシア改質土、および土砂等にセメントを混合した固化処理土等）を使用することにより、中詰材と前方鋼管矢板と後方鋼管矢板とを効果的に一体化することができる。
【００４２】
次に、図７の連結部材に関連する部分の別の構成例について図１１を参照して説明する。図１１は、図７の連結部材の近傍に固定部材を配置した別の構成例を概略的に示す要部斜視図である。
【００４３】
図１１の例は、下段の鋼管矢板１１Ａ，１２Ａの内側にそれぞれ、連結部材１３の取り付け位置の近傍でかつ連結部材１３と直交する水平方向にＨ形鋼からなる固定部材１９を配置し各鋼管杭にボルト等により取り付けたものである。連結部材１３は、固定部材１９のＨ形鋼に予め取り付けられたブラケット１３ａ、１３ｂに取り付けられ、図７のように隣接するすべての鋼管杭に配置されるのではなく、鋼管杭に１本おきに間欠的に配置されている。上段の鋼管矢板１１Ｂ，１２Ｂにも同様にして固定部材と連結部材とが配置される。なお、固定部材１９のＨ形鋼には、図１１のように必要に応じて各ブラケット１３ａ、１３ｂの位置に対応して補強のために補剛材１９ａが配置される。図１１の構成例によれば、固定部材を配置することで、鋼管矢板の水平方向のたわみを防止できるとともに、連結部材の本数を減ずることができる。
【００４４】
以上のように本発明を実施するための形態について説明したが、本発明はこれらに限定されるものではなく、本発明の技術的思想の範囲内で各種の変形が可能である。たとえば、本実施形態では、鋼管矢板を上下二段に分割したが、上下三段に分割してもよい。
【００４５】
また、図７の連結部材の配置構成に図１１の固定部材を配置するようにしてもよい。また、固定部材を内側ではなく外側に配置してもよい。
【産業上の利用可能性】
【００４６】
本発明の二重矢板構造物の施工方法によれば、二重矢板構造物の矢板を複数回に分けて打設するように分割することで矢板の軽量化および高強度化を図ることができるとともに、通常の矢板では二重矢板構造が成立しないような大水深において、効率的・安定的に二重矢板構造物を構築することができる。
【符号の説明】
【００４７】
１ 二重矢板構造物
１０ 鋼製導枠
１１ 前方鋼管矢板
１２ 後方鋼管矢板
１１Ａ，１２Ａ 下段の鋼管矢板
１１Ｂ，１２Ｂ 上段の鋼管矢板
１３ 連結部材
１７ ストッパ部材
１８ 連結部材
１９ 固定部材
２１，２２ 固化処理土
３１ 鋼管杭
３２ 継手部
３３ 鋼管杭
３４ 継手部
【図１】
2015183441.tif 000003
【図２】
2015183441.tif 000004
【図３】
2015183441.tif 000005
【図４】
2015183441.tif 000006
【図５】
2015183441.tif 000007
【図６】
2015183441.tif 000008
【図７】
2015183441.tif 000009
【図８】
2015183441.tif 000010
【図９】
2015183441.tif 000011
【図１０】
2015183441.tif 000012
【図１１】
2015183441.tif 000013
【図１２】
2015183441.tif 000014